(57)【要約】【課題】可動レンズ保持部材の移動時に姿勢を常に安定した状態に保持することができ良好な光学性能を維持し得るレンズ鏡筒を提供する。【解決手段】互いに合同な二つのカム筋曲線を有し互いに周面上で離間する一対のカム溝１７ａ，１７ｂを有した筒状の第１の枠１７と、一対のカム溝の一方に係合する第１のカムピン１６ａと一対のカム溝の他方に係合する第２のカムピン１６ｂとからなる一対のカムピンと、第１のカムピン若しくは第２のカムピンの一方の固定端が第１の枠の径方向に弾性変形可能な形状部分に固定される保持部１６ｘとを有し第１の枠に対し光軸方向に相対移動する第２の枠１６とを具備し、一対のカムピンと一対のカム溝との係合において一対のカムピン同士の配置距離Ｄ１は一対のカム溝同士の配置距離Ｄ２と異なる。【選択図】図１
2016109859.tif 000002
【特許請求の範囲】
【請求項１】
互いに合同な二つのカム筋曲線を有し、互いに周面上で離間する一対のカム溝を有した筒状の第１の枠と、
上記一対のカム溝の一方に係合する第１のカムピンと上記一対のカム溝の他方に係合する第２のカムピンとからなる一対のカムピンと、上記第１のカムピン若しくは上記第２のカムピンの一方の固定端が上記第１の枠の径方向に弾性変形可能な形状部分に固定される保持部とを有し、上記第１の枠に対し光軸方向に相対移動する第２の枠と、
を具備し、
上記一対のカムピンと上記一対のカム溝との係合において、上記一対のカムピン同士の配置距離は、上記一対のカム溝同士の配置距離と異なることを特徴としたレンズ鏡筒。
【請求項２】
上記一対のカムピンと上記一対のカム溝との係合において、上記一対のカムピン同士の配置距離は上記一対のカム溝同士の配置距離より小さいことを特徴とした請求項１に記載にレンズ鏡筒。
【請求項３】
上記一対のカムピンと上記一対のカム溝との係合において、上記一対のカムピン同士の配置距離は上記一対のカム溝同士の配置距離より大きいことを特徴とした請求項１に記載にレンズ鏡筒。
【請求項４】
上記一対のカムピンは、光軸方向に並べられていることを特徴とした請求項１〜請求項３のいずれかに記載にレンズ鏡筒。
【請求項５】
上記一対のカム溝及び上記一対のカムピンは、それぞれ同じ数の複数対を有していることを特徴とした請求項１〜請求項４のいずれかに記載にレンズ鏡筒。
【請求項６】
上記複数対のカムピンのうち少なくとも上記一対のカムピンは光軸方向に並べられていることを特徴とした請求項５に記載にレンズ鏡筒。
【請求項７】
上記光軸より上方にある上記一対のカムピンは、上記第１のカムピンが上記第２のカムピンより光軸後方にあり、
上記光軸より下方にある上記一対のカムピンは、上記第１のカムピンが上記第２のカムピンより光軸前方にあることを特徴とした請求項５に記載にレンズ鏡筒。
【請求項８】
上記保持部は、片持ち梁状に形成されていることを特徴とした請求項１〜請求項７のうちのいずれか一項に記載のレンズ鏡筒。
【発明の詳細な説明】
【技術分野】
【０００１】
この発明は、カム溝とカムフォロアの係合ガタを抑止する構造を具備するレンズ鏡筒に関するものである。
【背景技術】
【０００２】
従来、被写体像を撮像する撮像装置は、撮像の対象とする被写体の光学像を形成するための撮像光学系を内部に有して構成されるレンズ鏡筒を、装置本体と一体に若しくは着脱自在に配設されているのが一般的な形態である。
【０００３】
従来の撮像装置に適用されるレンズ鏡筒は、撮像光学系を構成するための複数の光学レンズと、これら複数の光学レンズをそれぞれ保持する筒状若しくは枠状に形成される複数のレンズ保持部材と、これら複数のレンズ保持部材のうちの所定のレンズ保持部材を光軸に沿う方向に進退移動させるための駆動用の筒部材や駆動源及びその駆動力を伝達する駆動機構等を含んで構成されている。
【０００４】
例えば特開平１１−１７４３０５号公報によって開示されているレンズ鏡筒は、カム溝が形成されたカム筒（駆動用の筒部材）と、カム筒のカム溝にカム結合するカムピンを備え、撮像光学系の一部の光学レンズを保持するレンズ保持筒（レンズ保持部材）とを有している。そして、カム筒が駆動源からの駆動力を受けて回転することによって、カム溝内をカムピンが移動することで、レンズ保持筒が光軸に沿う方向に移動するように構成されている。
【０００５】
この場合において、対となるカム溝とカムピンは、各筒部材（カム筒，レンズ保持筒）の周方向に略等間隔で三箇所に配設した構成としている。したがって、レンズ保持筒は、カム筒に対して、カムピンとカム溝とがカム結合している部位の三箇所で支持されて進退移動可能な状態となっている。
【先行技術文献】
【特許文献】
【０００６】
【特許文献１】特開平１１−１７４３０５号公報
【発明の概要】
【発明が解決しようとする課題】
【０００７】
ところが、上記特開平１１−１７４３０５号公報によって開示されているレンズ鏡筒の構成、即ちレンズ保持筒とカム筒との支持形態がカムピンとカム溝とによる三点支持構成とした場合において、例えばレンズ保持筒に固定保持される光学レンズの重量が大きい場合や、レンズ保持筒の光軸に沿う方向への移動距離が長い場合（具体的には高倍率ズーム光学系若しくは近接撮像動作の可能なマクロ光学系等の場合）には、可動レンズ保持部材が光軸に沿う方向へ移動するのに伴って、重力等の影響を受けて姿勢に変化が生じる可能性がある。その結果、例えば撮像光学系を構成する複数の光学レンズの一部にズレが生じ（光軸ブレを生じ）てしまい光学性能に悪影響を及ぼしてしまう可能性があるといった問題点がある。
【０００８】
本発明は、上述した点に鑑みてなされたものであって、その目的とするところは、可動レンズ保持部材とカム筒部材との支持形態をカムピンとカム溝とによって支持する構成を採用しつつ、例えば可動レンズ保持部材に固定保持される光学レンズの重量が大きい場合や、可動レンズ保持部材の光軸に沿う方向への移動距離が長い場合であっても、可動レンズ保持部材が光軸に沿う方向へ移動する際に、可動レンズ保持部材の姿勢を常に安定した状態に保持することができ、よって良好な光学性能を維持することのできる構造を備えたレンズ鏡筒を提供することである。
【課題を解決するための手段】
【０００９】
上記目的を達成するために、本発明の一態様のレンズ鏡筒は、互いに合同な二つのカム筋曲線を有し互いに周面上で離間する一対のカム溝を有した筒状の第１の枠と、上記一対のカム溝の一方に係合する第１のカムピンと上記一対のカム溝の他方に係合する第２のカムピンとからなる一対のカムピンと上記第１のカムピン若しくは上記第２のカムピンの一方の固定端が上記第１の枠の径方向に弾性変形可能な形状部分に固定される保持部とを有し、上記第１の枠に対し光軸方向に相対移動する第２の枠とを具備し、上記一対のカムピンと上記一対のカム溝との係合において上記一対のカムピン同士の配置距離は上記一対のカム溝同士の配置距離と異なる。
【発明の効果】
【００１０】
本発明によれば、可動レンズ保持部材とカム筒部材との支持形態をカムピンとカム溝とによって支持する構成を採用しつつ、例えば可動レンズ保持部材に固定保持される光学レンズの重量が大きい場合や、可動レンズ保持部材の光軸に沿う方向への移動距離が長い場合であっても、可動レンズ保持部材が光軸に沿う方向へ移動する際に、可動レンズ保持部材の姿勢を常に安定した状態に保持することができ、よって良好な光学性能を維持することのできる構造を備えたレンズ鏡筒を提供することができる。
【図面の簡単な説明】
【００１１】
【図１】本発明の一実施形態のレンズ鏡筒の光軸を含む面で切断した縦断面図（光軸よりも上側に配置されるカム結合部分（二箇所）を示す断面図）
【図２】図１のレンズ鏡筒における可動レンズ保持筒とカム筒とを取り出して示す分解斜視図
【図３】本発明の一実施形態のレンズ鏡筒の光軸を含む面で切断した縦断面図（光軸よりも下側に配置されるカム結合部分（二箇所）を示す断面図）
【図４】図１の符号［４］で示す部分（上側カム結合部分）の要部拡大断面図
【図５】図３の符号［５］で示す部分（下側カム結合部分）の要部拡大断面図
【図６】本発明の一実施形態の変形例における上側カム結合部分の要部拡大断面図
【図７】図６の変形例における下側カム結合部分の要部拡大断面図
【発明を実施するための形態】
【００１２】
以下、図示の実施の形態によって本発明を説明する。本発明の一実施形態は、撮像光学系により結像された光学像を、例えばＣＣＤ（Charge Coupled Device；電荷結合素子）イメージセンサーやＣＭＯＳ（Complementary Metal Oxide Semiconductor；相補性金属酸化膜半導体）型イメージセンサー等の光電変換素子等（以下、撮像素子という）を用いて順次光電変換し、これにより得られた画像信号を所定の形態の画像データ（静止画像又は動画像のデジタル画像データ）として記憶媒体（Memory又はStorage）に記憶すると共に、この記憶媒体に記憶されたデジタル画像データに基いて静止画像又は動画像を目視可能に表示する画像表示装置、例えば液晶表示ディスプレイ（Liquid Crystal Display；ＬＣＤ）や有機エレクトロルミネッセンス（有機ＥＬ；Organic Electro-Luminescence：ＯＥＬ）ディスプレイ等を備えて構成された撮像装置に適用されるレンズ鏡筒を例示するものである。
【００１３】
また、本実施形態においては、レンズ鏡筒における撮像光学系の光軸を符号Ｏで表すものとする。この光軸Ｏに沿う方向において、当該レンズ鏡筒が装着される撮像装置の前面に対向し、撮像対象となる被写体のある側を前方というものとし、当該レンズ鏡筒のマウントリングのある側を後方というものとする。
【００１４】
なお、以下の説明に用いる各図面は模式的に示すものであり、各構成要素を図面上で認識可能な程度に示すために、各部材の寸法関係や縮尺等を各構成要素毎に異ならせて示している場合がある。したがって、本発明は、これら各図面に記載された構成要素の数量，構成要素の形状，構成要素の大きさの比率，各構成要素の相対的な位置関係等に関し、図示の形態のみに限定されるものではない。
【００１５】
まず、本発明の一実施形態のレンズ鏡筒の概略的な構成を、図１を用いて以下に説明する。図１は、本発明の一実施形態のレンズ鏡筒の光軸を含む面で切断した縦断面図である。
【００１６】
本実施形態のレンズ鏡筒１は、撮像装置の装置本体（不図示）に対して着脱自在に構成される形態の交換式レンズ鏡筒の一例を示している。
【００１７】
本実施形態のレンズ鏡筒１は、図１に示すように、複数の光学レンズ（２１，２２，２３，２４，２５）によって構成される撮像光学系と、これら複数の光学レンズのそれぞれを固定保持する複数のレンズ保持部材（１１，１２，１３，１４，１５）と、可動レンズ保持部材である可動レンズ保持筒１６と、カム筒１７と、レンズフード１８と、固定筒１９と、マウントリング３１と、フォーカス操作リング３２と、ズーム操作リング３３と、絞り装置３４等の構成部材を有して構成されている。
複数の光学レンズ（２１，２２，２３，２４，２５）は、例えば前面側から順に第１レンズ群２１，第２レンズ群２２，第３レンズ群２３，第４レンズ群２４，第５レンズ群２５である。このうち、第５レンズ群２５は、本レンズ鏡筒１の内部における固定部分に固定される固定レンズ群である。また、第１レンズ群２１，第２レンズ群２２，第３レンズ群２３，第４レンズ群２４は、本レンズ鏡筒１の内部において光軸Ｏに沿う方向に進退移動可能に配設された可動レンズ群である。具体的には、例えば第２レンズ群２２は、不図示の駆動源及び駆動機構によって光軸Ｏに沿う方向に進退移動されることによって、主に焦点調節動作（フォーカシング）に寄与するフォーカスレンズ群である。また、例えば第３レンズ群２３，第４レンズ群２は、主に変倍動作（ズーミング）に寄与するズームレンズ群である。
【００１８】
複数のレンズ保持部材（１１，１２，１３，１４，１５）は、前面側から順に上記第１レンズ群２１を保持する第１レンズ保持部材１１と、第２レンズ群２２を保持する第２レンズ保持部材１２と、第３レンズ群２３を保持する第３レンズ保持部材１３と、第４レンズ群２４を保持する第４レンズ保持部材１４と、第５レンズ群２５を保持する第５レンズ保持部材１５とである。
【００１９】
可動レンズ保持筒１６は、可動レンズ群（第１レンズ群２１）を固定する第１レンズ保持部材１１を保持する筒状の可動レンズ保持部材である。可動レンズ保持筒１６は、内周面に向けて突設される複数のカムフォロワである複数のカムピン（１６ａ，１６ｂ）を有して構成されている。可動レンズ保持筒１６は、上記第１レンズ保持部材１１と一体に構成されている。この構成によって、可動レンズ保持筒１６は、上記第１レンズ保持部材１１と共に光軸Ｏに沿う方向に進退移動可能となるように、当該レンズ鏡筒１の内部において配設されている。
【００２０】
カム筒１７は、上記可動レンズ保持筒１６の複数のカムピン（第１カムピン１６ａ，第２カムピン１６ｂ）が係合する複数のカム溝（第１カム溝１７ａ，第２カム溝１７ｂ）を有して構成される駆動用の筒状部材であり第１の枠部材である。カム筒１７は、不図示の駆動源（駆動モータ等）からの駆動力を受けて光軸Ｏ周りに回転自在となるように、当該レンズ鏡筒１の内部において配設されている。
【００２１】
ここで、上記カム筒１７は上記可動レンズ保持筒１６に内挿されている。そして、上記可動レンズ保持筒１６は、上記カム筒１７（第１の枠）に対し光軸Ｏ方向に相対移動する第２の枠となっている。なお、可動レンズ保持筒１６及びカム筒１７の詳細構成については後述する。
【００２２】
レンズフード１８は、当該レンズ鏡筒１の先端部に固設され、当該レンズ鏡筒１の前面側から撮像光学系に入射する光束のうち光学像を形成するのに不要となる光束が当該撮像光学系に入射するのを遮断するために設けられる不要光遮断部材である。
【００２３】
固定筒１９は、上記固定レンズ群（２５）を保持する第５レンズ保持部材１５等の各種構成部材を固定支持し、他の移動レンズ群を保持するレンズ保持枠を相対移動可能に支持する筒状部材である。
【００２４】
マウントリング３１は、撮像装置の装置本体（不図示）の前面に設けられるマウント部に係合する事によって、当該レンズ鏡筒１と撮像装置とをバヨネット等で連結するための連結部材である。
【００２５】
フォーカス操作リング３２とズーム操作リング３３とは、当該レンズ鏡筒１の最外周面に配置され、光軸Ｏ周りに回動自在に配設される円環状の操作部材である。フォーカス操作リング３２は、主に焦点調節動作（フォーカシング）を行う際に操作される操作部材である。ズーム操作リング３３は、主に変倍動作（ズーミング）を行う際に操作される操作部材である。
【００２６】
絞り装置３４は、本レンズ鏡筒１の撮像光学系を透過する光量を調整するための光量調整装置である。なお、絞り装置そのものの構成については、本発明に関連しない部分であるので、その詳細構成の説明は省略する。
【００２７】
なお、本実施形態のレンズ鏡筒１は、上述した各構成部材のほかにも、各種の構成部材を含んで構成されている。例えば、上記可動レンズ保持筒１６を光軸Ｏに沿う方向に進退移動させるための駆動源（駆動モータ等）や、この駆動源から生じる回転駆動力を上記カム筒１７へと伝達する駆動力伝達機構のほか、絞り装置３４の駆動源等、種々の構成部材がある。しかしながら、それらの構成部材については、本発明に直接関係しない部分であり、また図面の煩雑化を避けるために、図１においてそれらの図示を省略し、また、それらの詳細な説明は省略する。
【００２８】
このように構成された本実施形態のレンズ鏡筒１において、可動レンズ保持筒１６とカム筒１７とを取り出して、両者の構成をさらに詳しく説明する。図２は、本実施形態のレンズ鏡筒１における可動レンズ保持筒とカム筒とを取り出して示す分解斜視図である。また、図３は、図１と同様に、本発明の一実施形態のレンズ鏡筒の光軸を含む面で切断した縦断面図である。ここで、図１は、レンズ鏡筒１が通常使用状態に置かれている場合において、可動レンズ保持筒のカムピンとカム筒のカム溝とのカム結合部分（三箇所）のうち光軸よりも上側に配置されるカム結合部分（二箇所のうちのいずれか一方）で切断した断面を示している。また、図３は、図１と同様の場合（レンズ鏡筒１が通常使用状態に置かれている場合）において、三箇所あるカム結合部分のうち光軸よりも下側に配置されるカム結合部分（一箇所）で切断した断面を示している。そして、図４は、図１の符号［４］で示す部分（上側カム結合部分）の要部拡大断面図である。図５は、図３の符号［５］で示す部分（下側カム結合部分）の要部拡大断面図である。
【００２９】
図３に示すように、また上述したように、第１レンズ保持部材１１は可動レンズ保持筒１６と一体に構成されている。可動レンズ保持筒１６の内周面上には、径方向内方に向けて突出する複数のカムピン（１６ａ，１６ｂ）が配設されている。
【００３０】
この可動レンズ保持筒１６の内周側には、カム筒１７が光軸Ｏ周りに回動自在に配設される。換言すると、カム筒１７の外周側に、可動レンズ保持筒１６が外挿配置されている。この場合において、上記複数のカムピン（１６ａ，１６ｂ）は、カム筒１７の周面上に形成された複数のカム溝（１７ａ，１７ｂ）にカム結合される。
【００３１】
ここで、上記複数のカムピンは、第１カムピン１６ａと第２カムピン１６ｂとの一対のカムピンが、可動レンズ保持筒１６の周方向に沿って略等間隔に三箇所配設されている。具体的には、可動レンズ保持筒１６の周方向に沿って角度約１２０度の間隔を置いた三箇所のそれぞれに上記一対のカムピン（１６ａ，１６ｂ）が配設されている。
【００３２】
上記一対のカムピン（１６ａ，１６ｂ）に対応させて、カム筒１７の周面には、複数のカム溝（１７ａ，１７ｂ）が形成されている。ここで、上記複数のカム溝は、互いに合同な同じカム筋曲線を有し互いに周面上で離間する第１カム溝１７ａと第２カム溝１７ｂとからなる一対のカム溝が、カム筒１７の周方向に沿って略等間隔に三箇所配設されている。具体的には、カム筒１７の周方向に沿って角度約１２０度の間隔を置いた三箇所のそれぞれに上記一対のカム溝（１７ａ，１７ｂ）が配設されている。
【００３３】
なお、上記複数のカムピン（１６ａ，１６ｂ）及び上記複数カム溝（１７ａ，１７ｂ）は、次のように配置されている。
【００３４】
まず、レンズ鏡筒１が通常使用状態に置かれている場合、具体的には、例えばレンズ鏡筒１が撮像装置の装置本体（不図示）の前面の所定の部位に正規の状態で取り付けられている状態にあり、かつ当該撮像装置が通常の姿勢で撮像動作を実行し得る状態、つまりレンズ鏡筒１の前面を撮影対象とする被写体に向けた状態にあるときに、可動レンズ保持筒１６の複数のカムピン（１６ａ，１６ｂ）とカム筒１７の複数のカム溝（１７ａ，１７ｂ）とのカム結合部分（三箇所）のうち、二箇所のカム結合部分（図２において符号「Ｕ」を附したカムピン１６ａ（Ｕ），１６ｂ（Ｕ）を含む構成部分）は光軸Ｏよりも上側に配置されており、他の一箇所のカム結合部分（図２において符号「Ｄ」を附したカムピン１６ａ（Ｄ），１６ｂ（Ｄ）を含む構成部分）は光軸Ｏよりも下側に配置される。
【００３５】
そこで、レンズ鏡筒１が通常状態にある時に、光軸Ｏよりも上側に配置される二箇所のカム結合部分（カムピン１６ａ（Ｕ），１６ｂ（Ｕ）を含む構成部分）を、上側カム結合部というものとする。また、同様に光軸Ｏよりも下側に配置される一箇所のカム結合部分（カムピン１６ａ（Ｄ），１６ｂ（Ｄ）を含む構成部分）を、下側カム結合部というものとする。
【００３６】
この場合において、下側カム結合部（図２のカムピン１６ａ（Ｄ），１６ｂ（Ｄ）を含む構成部分参照）は、図３に示すように、光軸Ｏを含む水平面に対して略鉛直方向に配置されているものとする。また、二箇所の上側カム結合部（図２のカムピン１６ａ（Ｕ），１６ｂ（Ｕ）を含む構成部分参照）は、上記下側カム結合部の配設部位に対して光軸Ｏ周りの正逆周方向にそれぞれ角度略１２０度を置いた位置に配置されているものとする。
【００３７】
一方、上記一対のカムピン（１６ａ，１６ｂ）は、上述したように、可動レンズ保持筒１６の内周面上において径方向内方に向けて突設されている。この場合において、上記一対のカムピン（第１カムピン１６ａ，第２カムピン１６ｂ）のうちの一方の第１カムピン１６ａの固定端が配設されている部位（図２の符号１６ｘで示す部位）は、図２に示すように、周囲領域のうち三方向が切り欠かれた形態となっており、かつ残りの一部位にて当該可動レンズ保持筒１６の周面に連接するような形態の片持ち梁状に形成されている。ここで、可動レンズ保持筒１６は、例えば樹脂成形品等の素材を用いて形成されている。したがって、当該部位（符号１６ｘで示す部位）を、片持ち梁状に形成することによって、素材の弾性による付勢力を有するように構成されている。そこで、当該部位（符号１６ｘで示す部位）を、以後、片持ち梁状部１６ｘというものとする。つまり、第１カムピン１６ａは、上記カム筒１７の径方向に弾性変形可能な形状部分でありカムピンを固定保持する保持部である片持ち梁状部１６ｘに固設されている。そして、この第１カムピン１６ａに対し、他方の第２カムピン１６ｂは、光軸Ｏに沿う方向に並べて配設されている。ここで、上記第２カムピン１６ｂは、可動レンズ保持筒１６の内周面上の固定部に対し径方向内方に向けて固定され突設されている。
【００３８】
また、この場合において、第１カムピン１６ａと第２カムピン１６ｂとの配置順は、次のように設定されている。即ち、上側カム結合部分（二箇所）においては、第１カムピン１６ａ（片持ち梁状部１６ｘ）が前寄り部位に配設され、第２カムピン１６ｂが後端寄り部位に配設されている。一方、下側カム結合部分（一箇所）においては、第２カムピン１６ｂが前寄り部位に配設され、第１カムピン１６ａ（片持ち梁状部１６ｘ）が後端寄り部位に配設されている。
【００３９】
なお、上側カム結合部分（二箇所）においては、前寄り部位の第１カムピン１６ａに対応させて第１カム溝１７ａが前寄り部位に形成され、後端寄り部位の第２カムピン１６ｂに対応させて第２カム溝１７ｂが後端寄り部位に形成されている。一方、下側カム結合部分（一箇所）においては、反対に、前寄り部位の第２カムピン１６ｂに対応させて第２カム溝１７ｂが前寄り部位に形成され、後端寄り部位の第１カムピン１６ａに対応させて第１カム溝１７ａが後端寄り部位に形成されている（図２参照）。
【００４０】
さらに、上記一対のカムピン（１６ａ，１６ｂ）の間隔寸法（配置距離）と、上記一対のカム溝（１７ａ，１７ｂ）の間隔寸法（配置距離）とは異なるように設定されている。具体的には、本実施形態においては、上記一対のカムピン（１６ａ，１６ｂ）の間隔寸法（配置距離）は、上記一対のカム溝（１７ａ，１７ｂ）の間隔寸法（配置距離）に対して若干狭くなるように設定されている。即ち、図４，図５において、一対のカムピン（１６ａ，１６ｂ）の間隔寸法を符号Ｄ１で示し、一対のカム溝（１７ａ，１７ｂ）の間隔寸法を符号Ｄ２で示している。この場合において、
Ｄ１＜Ｄ２
となるように設定している。
【００４１】
このように構成された本実施形態のレンズ鏡筒１において、可動レンズ保持筒１６とカム筒１７とは、次のように作用する。
【００４２】
当該レンズ鏡筒１が通常使用状態にあるとき、例えば図３に示す状態にある時には、下側カム結合部分（１６ａ（Ｄ），１６ｂ（Ｄ）参照）が光軸Ｏを含む水平面に対して略鉛直方向に配置されている。
【００４３】
ここで、可動レンズ保持筒１６の先端部には、上述したように、第１レンズ群２１を保持する第１レンズ保持部材１１が固設されており、可動レンズ保持筒１６の内部には、カム筒１７が回動自在に内挿配置されている。したがって、この状態において、カム筒１７は、可動レンズ保持筒１６を複数のカム結合部分にて支持していることになる。上述したように、可動レンズ保持筒１６は先端側に比較的重量のある構成物（第１レンズ群２１，第１レンズ保持部材１１）が固設されており、これにより、可動レンズ保持筒１６は、その重量バランスが先端側に偏っている。このことから、レンズ鏡筒１が通常状態にある時には、鉛直方向の重力Ｇ（図４参照）を受けて、可動レンズ保持筒１６は、先端側がカム筒１７に対して回転方向（図３の矢印Ｒ１方向）への力量を受けることになる。
【００４４】
このとき、上側カム結合部分（二箇所；１６ａ（Ｕ），１６ｂ（Ｕ）参照）においては、図４に示すように、片持ち梁状部１６ｘに固設された第１カムピン１６ａ（Ｕ）は、第１カム溝１７ａに対して弾性変形しつつ、図４の後側斜面部［Ａ］に当接し押圧される状態になる。同時に、可動レンズ保持筒１６の固定部に固設された第２カムピン１６ｂ（Ｕ）は、第２カム溝１７ｂに対して図４の前側斜面部［Ｂ］に当接し押圧される状態になる。このとき、第１カムピン１６ａ（Ｕ）は、第１カム溝１７ａに対し鉛直方向（図４の矢印Ｇ１方向）の押圧力にて押圧される。ここで、一対のカムピン（１６ａ，１６ｂ）の間隔寸法Ｄ１は、一対のカム溝（１７ａ，１７ｂ）の間隔寸法Ｄ２に対して若干狭く設定している（Ｄ１＜Ｄ２）ことから、当該カム結合部分において、カムピンとカム溝との係合ガタが除去されている。
【００４５】
同様に、下側カム結合部分（一箇所；１６ａ（Ｄ），１６ｂ（Ｄ）参照）においては、図５に示すように、可動レンズ保持筒１６の固定部に固設された第２カムピン１６ｂ（Ｄ）は、第２カム溝１７ｂに対して図５の後側斜面部［Ｃ］に当接し押圧される状態になる。同時に、片持ち梁状部１６ｘに固設された第１カムピン１６ａ（Ｄ）は、第１カム溝１７ａに対して弾性変形しつつ図５の前側斜面部［Ｄ］に当接し押圧される状態になる。このとき、第１カムピン１６ａ（Ｄ）は、第１カム溝１７ａに対し鉛直方向とは反対方向（図５の矢印Ｇ２方向）の押圧力にて押圧される。ここでも、一対のカムピン（１６ａ，１６ｂ）の間隔寸法Ｄ１は、一対のカム溝（１７ａ，１７ｂ）の間隔寸法Ｄ２に対して若干狭く設定している（Ｄ１＜Ｄ２）ことから、当該カム結合部分において、カムピンとカム溝との係合ガタが除去されている。
【００４６】
以上説明したように上記第１の実施形態によれば、レンズ鏡筒１において、可動レンズ保持筒１６とカム筒１７とをカム結合により連設するのに際し、互いに合同な同じカム筋曲線を有し互いに周面上で離間する一対のカム溝（１７ａ，１７ｂ）にカム結合する一対のカムピン（１６ａ，１６ｂ）の一方のカムピン１６ａを、可動レンズ保持筒１６において弾性を有する部分となる片持ち梁状部１６ｘに固設する構成としている。この構成によって、上記一対のカムピン（１６ａ，１６ｂ）と上記一対のカム溝（１７ａ，１７ｂ）との間の係合ガタを除去することができる。
【００４７】
また、この場合において、上記一対のカム溝（１７ａ，１７ｂ）同士の光軸Ｏ方向の間隔寸法Ｄ２に対し、上記一対のカムピン（１６ａ，１６ｂ）の光軸Ｏ方向の間隔寸法Ｄ１を若干狭めて構成している（Ｄ１＜Ｄ２）。この構成によって、係合ガタの生じる方向を一方向に特定することができるので、これにより、特定された一方向に可動レンズ保持筒１６を押圧するように配置すれば、当該係合ガタを容易に除去し得る。
【００４８】
さらに、上側カム結合部分（二箇所；１６ａ（Ｕ），１６ｂ（Ｕ）参照）と下側カム結合部分（一箇所；１６ａ（Ｄ），１６ｂ（Ｄ）参照）とにおいて、第１カムピン１６ａと第２カムピン１６ｂとの光軸Ｏに沿う方向における配置を逆に設定することによって、可動レンズ保持筒１６側の重量バランスによって各カムピンと各カム溝との当接部位における負荷力量が異なることに対応し、どのカム結合部位においても適切に可動レンズ保持筒１６側の重量を受けることができる。したがって、これにより、可動レンズ保持筒１６の姿勢を常に安定した状態に保持することができ、良好な光学性能を維持することができる。
【００４９】
なお、上述の一実施形態のレンズ鏡筒１においては、上記一対のカム溝（１７ａ，１７ｂ）同士の光軸Ｏ方向の間隔寸法Ｄ２に対し、上記一対のカムピン（１６ａ，１６ｂ）の光軸Ｏ方向の間隔寸法Ｄ１を若干狭めて構成している（Ｄ１＜Ｄ２）。しかしながら、カム溝及びカムピンの各間隔寸法の設定は、この例に限られることはない。
【００５０】
例えば、図６，図７に示す変形例では、上述の一実施形態とは逆に、上記一対のカム溝（１７ａ，１７ｂ）同士の光軸Ｏ方向の間隔寸法Ｄ２に対し、上記一対のカムピン（１６ａ，１６ｂ）の光軸Ｏ方向の間隔寸法Ｄ１を若干広めに構成してもよい（Ｄ１＞Ｄ２）。また、この構成とする場合、上側カム結合部分（二箇所）においては、第２カムピン１６ｂを前寄り部位に配設し、第１カムピン１６ａ（片持ち梁状部１６ｘ）を後端寄り部位に配設する。一方、下側カム結合部分（一箇所）においては、第１カムピン１６ａ（片持ち梁状部１６ｘ）を前寄り部位に配設し、第２カムピン１６ｂを後端寄り部位に配設している。
【００５１】
このような構成とした場合のレンズ鏡筒における可動レンズ保持筒とカム筒とは、次のように作用する。ここで、当該変形例においては、図６，図７に示すように、可動レンズ保持筒１６Ａとカム筒１７Ａとする。
【００５２】
この変形例におけるレンズ鏡筒が通常使用状態にあるとき（図３と同等の状態にある時）、上側カム結合部分（二箇所；１６ａ（Ｕ），１６ｂ（Ｕ）参照）においては、図６に示すように、可動レンズ保持筒１６Ａの固定部に固設された第２カムピン１６ｂ（Ｕ）が、第２カム溝１７Ａｂに対して図６の前側斜面部［Ｅ］に当接し押圧される状態になる。同時に、片持ち梁状部１６ｘに固設された第１カムピン１６ａ（Ｕ）は、第１カム溝１７Ａａに対して弾性変形しつつ、図６の後側斜面部［Ｆ］に当接し押圧される状態になる。このとき、第２カムピン１６ｂ（Ｕ）は、第２カム溝１７Ａｂに対し鉛直方向（図６の矢印Ｇ１方向）の押圧力にて押圧される。これにより、当該カム結合部分において、カムピンとカム溝との係合ガタが除去される。
【００５３】
同様に、下側カム結合部分（一箇所；１６ａ（Ｄ），１６ｂ（Ｄ）参照）においては、図７に示すように、片持ち梁状部１６ｘに固設された第１カムピン１６ａ（Ｄ）は、第１カム溝１７Ａａに対して弾性変形しつつ図７の前側斜面部［Ｈ］に当接し押圧される状態になる。同時に、可動レンズ保持筒１６Ａの固定部に固設された第２カムピン１６ｂ（Ｄ）は、第２カム溝１７Ａｂに対して図７の後側斜面部［Ｊ］に当接し押圧される状態になる。このとき、第２カムピン１６ｂ（Ｄ）は、第２カム溝１７Ａｂに対し鉛直方向とは反対方向（図７の矢印Ｇ２方向）の押圧力にて押圧される。これにより、当該カム結合部分において、カムピンとカム溝との係合ガタが除去される。
【００５４】
以上説明した変形例による構成によっても、上記一実施形態と同様の効果を得ることができる。また、以上のように上記一実施形態と変形例のカムピンをまとめれば、光軸より上方にある上記一対のカムピンは、上記第１のカムピンが上記第２のカムピンより光軸後方にあり、上記光軸より下方にある上記一対のカムピンは、上記第１のカムピンが上記第２のカムピンより光軸前方にあるといってもよい。
【００５５】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。
【符号の説明】
【００５６】
１……レンズ鏡筒，
１１……第１レンズ保持部材，
１２……第２レンズ保持部材，
１３……第３レンズ保持部材，
１４……第４レンズ保持部材，
１５……第５レンズ保持部材，
１６，１６Ａ……可動レンズ保持筒，
１６ａ……第１カムピン，
１６ｂ……第２カムピン，
１６ｘ……片持ち梁状部，
１７，１７Ａ……カム筒，
１７ａ，１７Ａａ……第１カム溝，
１７ｂ，１７Ａｂ……第２カム溝，
１８……レンズフード，
１９……固定筒，
２１……第１レンズ群，
２２……第２レンズ群，
２３……第３レンズ群，
２４……第４レンズ群，
２５……第５レンズ群，
３１……マウントリング，
３２……フォーカス操作リング，
３３……ズーム操作リング，
３４……絞り装置，
【図１】
2016109859.tif 000003
【図２】
2016109859.tif 000004
【図３】
2016109859.tif 000005
【図４】
2016109859.tif 000006
【図５】
2016109859.tif 000007
【図６】
2016109859.tif 000008
【図７】
2016109859.tif 000009
【手続補正書】
【提出日】平成27年9月11日(2015.9.11)
【手続補正１】
【補正対象書類名】明細書
【補正対象項目名】０００９
【補正方法】変更
【補正の内容】
【０００９】
上記目的を達成するために、本発明の一態様のレンズ鏡筒は、互いに合同な二つのカム筋曲線を有し、互いに周面上で離間する一対のカム溝を有した筒状の第１の枠と、上記一対のカム溝の一方に係合する第１のカムピンと上記一対のカム溝の他方に係合する第２のカムピンとからなる一対のカムピンと、上記第１のカムピンを弾性により付勢し上記第１の枠の径方向に付勢する弾性変形可能な形状部分とを有し、上記第１の枠に対し光軸方向に相対移動する第２の枠と、を具備し、上記一対のカムピンと上記一対のカム溝との係合において、上記一対のカムピン同士の配置距離は、上記一対のカム溝同士の配置距離と異なる。
【手続補正２】
【補正対象書類名】特許請求の範囲
【補正対象項目名】全文
【補正方法】変更
【補正の内容】
【特許請求の範囲】
【請求項１】
互いに合同な二つのカム筋曲線を有し、互いに周面上で離間する一対のカム溝を有した筒状の第１の枠と、
上記一対のカム溝の一方に係合する第１のカムピンと上記一対のカム溝の他方に係合する第２のカムピンとからなる一対のカムピンと、上記第１のカムピンを弾性により付勢し上記第１の枠の径方向に付勢する弾性変形可能な形状部分とを有し、上記第１の枠に対し光軸方向に相対移動する第２の枠と、
を具備し、
上記一対のカムピンと上記一対のカム溝との係合において、上記一対のカムピン同士の配置距離は、上記一対のカム溝同士の配置距離と異なることを特徴としたレンズ鏡筒。
【請求項２】
上記一対のカムピンと上記一対のカム溝との係合において、上記一対のカムピン同士の配置距離は上記一対のカム溝同士の配置距離より小さいことを特徴とした請求項１に記載にレンズ鏡筒。
【請求項３】
上記一対のカムピンと上記一対のカム溝との係合において、上記一対のカムピン同士の配置距離は上記一対のカム溝同士の配置距離より大きいことを特徴とした請求項１に記載にレンズ鏡筒。
【請求項４】
上記一対のカムピンは、光軸方向に並べられていることを特徴とした請求項１〜請求項３のいずれかに記載にレンズ鏡筒。
【請求項５】
上記一対のカム溝及び上記一対のカムピンは、それぞれ同じ数の複数対を有していることを特徴とした請求項１〜請求項４のいずれかに記載にレンズ鏡筒。
【請求項６】
上記複数対のカムピンのうち少なくとも上記一対のカムピンは光軸方向に並べられていることを特徴とした請求項５に記載にレンズ鏡筒。
【請求項７】
上記光軸より上方にある上記一対のカムピンは、上記第１のカムピンが上記第２のカムピンより光軸後方にあり、
上記光軸より下方にある上記一対のカムピンは、上記第１のカムピンが上記第２のカムピンより光軸前方にあることを特徴とした請求項５に記載にレンズ鏡筒。
【請求項８】
上記保持部は、片持ち梁状に形成されていることを特徴とした請求項１〜請求項７のうちのいずれか一項に記載のレンズ鏡筒。